(57)【要約】【課題】無線通信システムにおいて、電波の届かない場所への移動に伴う電界強度の低下などにより、回線が突然切断されてしまうことがある。【解決手段】無線送信端末と１つまたは複数の他の無線情報発信端末から発信される基地局識別符号を受信し、電界強度を測定することにより、無線受信端末使用者が移動中であるか静止しているかを判断し、移動中で且つ受信電界強度が徐々に下がりつつある場合に、予め端末使用者に警告を発する。【選択図】　図３
2004104474.tif 000002
【特許請求の範囲】
【請求項１】
無線情報発信端末より受信した電界強度情報を抽出する通信手段と、
前記通信手段の出力するベースバンド信号を復号し基地局識別符号を抽出する信号処理手段と、
前記信号処理手段からの基地局識別符号と前記通信手段からの電界強度情報をそれぞれ対応付けた情報として格納する受信情報記憶手段と、
正常な信号を受信するための電界強度の閾値である基準値を格納する基準情報記憶手段と、
前記受信情報記憶手段の電界強度情報と前記基準情報記憶手段の基準値を比較する記憶情報比較手段と、
前記信号処理手段の基地局識別符号と前記記憶情報比較手段の比較の結果から得られた受信信号及び制御信号をもとに各手段に指示を行う制御手段と、
前記制御手段から得られた情報をもとに無線端末の状態を表示させる表示手段を備えることを特徴とする無線受信端末。
【請求項２】
前記信号処理手段から得られた有効な情報と誤り検出符号を用いて演算を行い受信信号が誤っているかどうかを判断する誤り符号演算手段を備えたことを特徴とする請求項１記載の無線受信端末。
【請求項３】
無線受信端末使用者が無線受信端末の操作、及び受信誤りと電界強度の基準値の設定を行う操作手段を備えたことを特徴とする請求項１記載の無線受信端末。
【請求項４】
前記制御手段からの指示により、無線受信端末の音量調整を行う音量調整手段を備えたことを特徴とする請求項１記載の無線受信端末。
【請求項５】
前記音量調整手段は、一定の条件において音量が調整できる機能を備えたことを特徴とする請求項４記載の無線受信端末。
【請求項６】
前記制御手段からの指示により、画面の明るさの調整を行う画面調整手段を備えたことを特徴とする請求項１記載の無線受信端末。
【請求項７】
前記制御手段からの指示により、無線受信端末を振動させる振動手段を備えたことを特徴とする請求項１記載の無線受信端末。
【発明の詳細な説明】
【０００１】
【発明の属する技術分野】
本発明は、映像信号や音響信号等を無線回線を介して受信する無線受信端末に関するものである。
【０００２】
【従来の技術】
近年、ＩＥＥＥ８０２．１１に代表される無線ローカルエリアネットワーク（以下ＬＡＮと呼ぶ）が、従来のイーサーネット等の有線ＬＡＮに代わって機器の設置場所の自由度が高い等の利点から普及してきている。また、無線ＬＡＮを利用した映像信号や音響信号等を伝送する無線伝送装置が普及している。以下、従来の無線通信システムについて説明する。
【０００３】
図９は従来の無線伝送システムの構成を示すブロック図である。図９において、４０は入力された信号を符号化し変調し所定の形式の電波として送出する無線送信端末であり、５０は電波を受信し復調し複号化して信号を出力する無線受信端末である。上記無線送信端末４０は制御手段１０３、信号処理手段１０２、通信手段１０１、アンテナ１００から構成されており、上記無線受信端末５０と無線回線を介して接続される。
【０００４】
上記無線受信端末５０は制御手段１０３、信号処理手段１０２、通信手段１０１、アンテナ１００から構成されており、信号処理手段１０２と通信手段１０１は上記無線送信端末４０と上記無線受信端末５０で同じものである。
【０００５】
図１０は無線回線上に送出される信号のタイミングを示すタイミング図である。
【０００６】
以上のように構成された従来の無線伝送装置について、以下その動作について説明する。
【０００７】
まず、図９の無線送信端末４０の動作について説明する。無線送信端末４０には外部から映像及び音響信号が入力される。入力された信号は制御手段１０３において所定の形式に圧縮される。通常映像信号を伝送する際にはデータ伝送量の削減、クロック情報の伝送等の目的でＭＰＥＧ２−ＴＳ形式を用いてエンコードする。ここでエンコードされた映像信号は信号処理手段１０２においてＭＰＥＧ２−ＴＳパケットの形式にパケット化される。ＭＰＥＧ２−ＴＳパケットは、所定の通信プロトコルに基づいてさらにパケット化され、伝送に必要なヘッダーが付加される。ここでの通信プロトコルには信頼性のあるデータ伝送を実現するＴＣＰ／ＩＰや、ストリームデータの伝送に適したＵＤＰ／ＩＰ等が用いられ、ＩＰパケットの形式にパケット化される。ＩＰパケットは、所定の無線通信方式に基づいたＭＡＣパケットとして組み立てられる。ＭＡＣパケットの構成はＩＥＥＥ８０２．１１等の無線ＬＡＮ規格で規定された方式が用いられる。ＭＡＣパケット形式に組み立てられたデータは通信手段１０１に入力される。通信手段１０１では所定の変調を行い、所定の周波数の電波としてアンテナを介して送出する。ここでの変調方式は直交変調とスペクトラム拡散あるいはＯＦＤＭ等が用いられる。周波数は２．４Ｇ帯や５Ｇ帯等が用いられる。こうして入力された映像信号は所定の方式で無線通信回線上に送出される。
【０００８】
次に、図９の無線受信端末５０の動作について説明する。無線受信端末５０においてアンテナで受けた電波は通信手段１０１に入力される。通信手段１０１は所望の周波数を選択し、復調しベースバンド信号すなわちＭＡＣパケット形式のデータに変換され信号処理手段１０２に出力される。信号処理手段１０２では入力されたＭＡＣパケット形式のデータを解析し、ＩＰパケットに変換し、ＩＰパケットからＭＰＥＧ２−ＴＳパケットを抽出し制御手段１０３に出力される。制御手段１０３では入力されたＭＰＥＧ２−ＴＳパケットを複号化し、伸張して映像および音響信号として出力する。こうして無線送信端末４０から入力した映像および音響信号は無線通信回線を介して無線受信端末５０に伝送される。
【０００９】
次に、無線回線上に送出される信号のタイミングについて図１０を用いて説明する。図１０においてビーコンとは無線送信端末４０が送出する制御信号であり、その送出間隔は数ｍｓから１ｓ程度の一定の間隔（サイクル）で送信される。ビーコンには無線送信端末４０を識別する識別番号や無線送信端末４０が内部に有するタイマの値等の制御情報が含まれている。このビーコンは無線受信端末５０がビーコンに含まれる識別番号に基づいて無線送信端末４０を識別するためなどの目的で使用される。映像及び音響信号は２つの隣り合うビーコンの間のタイミングにおいて送出される。ＩＥＥＥ８０２．１１ではＣＳＭＡ／ＣＡ方式を採用しており、データを送信する際にはまず受信を行い、無線回線が空いているかどうか、すなわち他の無線伝送装置が送信していないかどうか確認し、空いていれば送信し、空いていなければ他の無線伝送装置の送信が終わったことを確認してからデータを送信するという制御を行っている。従って、複数の無線受信端末５０が存在する場合、無線回線が他の通信のために使用中の場合にはその信号の送出が完了し、無線回線が空いてから送信されるため、無線回線の使用状況に応じて遅れる場合が発生する。
【００１０】
次に無線受信端末５０がビーコンを受信する際の動作について説明する。無線受信端末５０において通信手段１０１より出力された受信信号は信号処理手段１０２でフレーム内容が解析され自機宛の信号かどうかを判定する。自機宛の信号でなければ破棄し、自機宛の信号の場合には解析後、受信データを制御手段１０３に出力する。
【００１１】
従来の無線通信システムは以上のように構成されており、新たな有線伝送線路を敷設することなく無線送信端末４０から無線受信端末５０に対して映像信号を伝送することができる便利なものであったが、無線回線特有の通信状態の変化や伝搬遅延、通信プロトコル処理遅延等の影響により、無線受信端末５０で再生される映像及び音響信号が正常に再生できない場合が発生する。
【００１２】
特に移動時の電波状況の悪化など、通信環境が悪化すると通信誤りが発生し、無線受信端末５０における映像や音声の再生が、突然途切れるなどの問題点があった。
【００１３】
従来、受信品質レベルの低下をビット誤り率に基づいて表示する技術が開示されている（例えば特許文献１参照）。
【００１４】
【特許文献１】
特開２００２−５１０５１号公報
【００１５】
【発明が解決しようとする課題】
本発明は以上のような問題点を解決するためになされたもので、伝搬状態変化によって、データの再送信が起こり伝送遅延時間が大きく変化することが予想される場合であっても予め無線通信システム利用者に警告し、正しく映像及び音響信号を伝送することができる無線通信システムを提供することを目的とする。
【００１６】
【課題を解決するための手段】
上記課題を解決するため、第１の発明は、無線情報発信端末より受信した電界強度情報を抽出する通信手段と、前記通信手段の出力するベースバンド信号を復号し基地局識別符号を抽出する信号処理手段と、前記信号処理手段からの基地局識別符号と前記通信手段からの電界強度情報をそれぞれ対応付けた情報として格納する受信情報記憶手段と、正常な信号を受信するための電界強度の閾値である基準値を格納する基準情報記憶手段と、前記受信情報記憶手段の電界強度情報と前記基準情報記憶手段の基準値を比較する記憶情報比較手段と、前記信号処理手段の基地局識別符号と前記記憶情報比較手段の比較の結果から得られた受信信号及び制御信号をもとに各手段に指示を行う制御手段と、前記制御手段から得られた情報をもとに無線端末の状態を表示させる表示手段を備えることを特徴とする無線受信端末である。
【００１７】
第２の発明は、前記信号処理手段から得られた有効な情報と誤り検出符号を用いて演算を行い受信信号が誤っているかどうかを判断する誤り符号演算手段を備えたことを特徴とする第１の発明に記載の無線受信端末である。
【００１８】
第３の発明は、無線受信端末使用者が無線受信端末の操作、及び受信誤りと電界強度の基準値の設定を行う操作手段を備えたことを特徴とする第１の発明に記載の無線受信端末である。
【００１９】
第４の発明は、前記制御手段からの指示により、無線受信端末の音量調整を行う音量調整手段を備えたことを特徴とする第１の発明に記載の無線受信端末である。
【００２０】
第５の発明は、前記音量調整手段は、一定の条件において音量が調整できる機能を備えたことを特徴とする第４の発明に記載の無線受信端末である。
【００２１】
第６の発明は、前記制御手段からの指示により、画面の明るさの調整を行う画面調整手段を備えたことを特徴とする第１の発明に記載の無線受信端末である。
【００２２】
第７の発明は、前記制御手段からの指示により、無線受信端末を振動させる振動手段を備えたことを特徴とする第１の発明に記載の無線受信端末である。
【００２３】
【発明の実施の形態】
以下、本発明の実施の形態について、図１から図８を用いて説明する。
【００２４】
（実施の形態１）
以下、本発明の実施の形態１にかかる無線通信システムについて図面を用いて説明する。
【００２５】
図１、図２及び図３は、それぞれ本実施の形態１による無線送信端末、無線情報発信端末及び無線受信端末の構成を示すブロック図であり、図２及び図３において、図１と同一符号は同一、または相当部分を示している。図３において、受信情報記憶手段１０４、記憶情報比較手段１０５、基準情報記憶手段１０６及び表示手段１０７が新たに追加されている。
【００２６】
以上のように構成された本実施の形態の無線伝送装置について、以下、従来例と異なる、無線情報発信端末及び１つまたは複数の無線情報発信端末から基地局識別符号を受信した場合の無線受信端末の動作について説明する。
【００２７】
まず、無線受信端末３０の通信相手である無線送信端末１０に加えて、無線受信端末３０の周辺の１つまたは複数の他の電子機器に対して、図２の構成をもった無線情報発信機能を備えさせ、それぞれ基地局識別符号を含んだ信号（ビーコン）を定期的に発信させるようにする。無線受信端末３０は、通信相手である無線送信端末１０に加えて、無線受信端末３０との通信可能エリア内に存在する１つまたは複数の他の無線情報発信端末２０から基地局識別符号を受信する。
【００２８】
無線受信端末３０が受信した信号は、アンテナ１００を介して通信手段１０１により受信電界強度が測定され、受信情報記憶手段１０４に記憶されるとともに、信号処理手段１０２に受信信号が送出される。信号処理手段１０２は、基地局識別符号を受信し、通信手段１０１において測定された受信電界強度とともに受信情報記憶手段１０４に記憶される。つまり、ある測定地点における無線受信端末３０において、どの無線送信端末１０あるいは無線情報発信端末２０からの受信電界強度がどの程度の強さであるかという情報が受信情報記憶手段１０４に記憶される。
【００２９】
一定以上の強さの電界強度を得られない場合は、通信状態が不安定になり、伝送誤りの発生が増加することから、正常な通信を行う際には、ある一定の電界強度を保つ必要がある。そのために基準情報記憶手段１０６を設け、ここに正常に通信を行うための電界強度の強さの目安（閾値）を設定し、この値（閾値）と受信情報記憶手段１０４が記憶している測定地点における信号受信時現在の電界強度の強さを記憶情報比較手段１０５によって比較することにより、測定地点における受信電界が、正常に通信を行うための環境として適しているか否かを比較判断する。記憶情報比較手段１０５において比較判断した結果を制御手段１０３に伝え、制御手段１０３は信号処理手段１０２から得た受信信号とともに、記憶情報比較手段１０５から受信した比較結果を表示手段１０７に出力し、端末使用者に対して視覚表示させる。
【００３０】
このとき、仮に無線送信端末１０からの受信電界強度が弱い場合、つまり、基準情報記憶手段１０６に記憶されている電界強度の目安（閾値）が、受信情報記憶手段１０４に記憶されている実際に受信した電界強度より高い場合、正常に通信が行えない旨を記憶情報比較手段１０５から制御手段１０３へ伝え、その情報をもとに制御手段１０３は表示手段１０７に対して、通信が正常に行われない恐れがある旨を伝える。これにより端末使用者は電界強度が弱く、伝送状態が悪いことを把握することができる。
【００３１】
ただ、電界強度が悪くなってから、端末使用者に伝送状況が悪くなったことを知らせても、伝送誤りの発生による度重なる再送制御により既に映像及び音響信号の無線受信端末３０側での再生に不具合が発生している可能性が高いので、これを事前に防ぐ必要がある。そこで、制御手段１０３においては、記憶情報比較手段１０５からの比較情報をもとに、制御手段１０３から電界強度の閾値に達するまで段階的に表示手段１０７を介して端末使用者に事前に警告を行う。
【００３２】
さらに受信電界強度の変動が、端末使用者が移動したことへの影響なのか、あるいは周囲の環境の変化による影響なのかを判断するために、１つまたは複数の他の電子機器に対して、図２の構成をもった無線情報発信機能を備えさせ、それぞれ基地局識別符号を含んだ信号（ビーコン）を定期的に発信させるようにする。
【００３３】
この電子機器とは、例えばビデオや冷蔵庫など、常に待機電力を消費している機器を想定している。これは、端末使用者が停止していても、周囲の人の動きや扉の開閉などにより電波伝搬の特性が変わり、電界強度が変化することもあるが、この結果をもって、伝搬状況が悪くなったと判断するのは難しい。そこで、無線送信端末１０の他に、無線情報発信端末２０から発信される基地局識別符号及び電界強度を測定することにより、端末使用者が移動中であるかどうかを判断し、移動中であり且つ無線送信端末１０からの電界強度が弱くなっているようなら、無線送信端末１０と無線受信端末３０との距離が離れていっていると判断できる。
【００３４】
逆に、停止中で且つ無線送信端末１０からの電界強度が弱くなっているような場合は、周囲の影響による一時的な環境変化ととらえるのが自然である。停止及び移動中の判断は、無線送信端末１０及び１つまたは複数の無線情報発信端末２０から無線受信端末３０に送られてくる基地局識別符号及び受信電界強度の変化から行う。前記の通り、無線送信端末１０から受信した電界強度が一定の場合、あるいは、無線送信端末１０から受信した電界強度が変化し、且つ無線情報発信端末２０から受信した電界強度が一定の場合は、静止あるいは静止中に相当する状況下にあると判断できる。一方、無線送信端末１０から受信した電界強度が変化し、且つ無線情報発信端末２０から受信した電界強度も変化している場合は、移動あるいは移動中に相当する状況下にあると判断できる。
【００３５】
このように移動中である場合に、電界強度が下がり、事前に電波の届かない場所に移動しつつある場合、予め端末使用者に警告を発し、受信すべき信号の途切れを防ぐことができる。
【００３６】
なお、本実施の形態の適応例を、具体的に図を用いて説明する。図１１は、ある部屋における電波受信可能領域（左側）と受信不能領域（右側）を表す。図において、図示しない無線受信端末が上部左側から上部右側へ破線を超えると無線通信が途切れるが、図１２に示すように、予め各拠点に設置されている無線情報発信端末（Ａ〜Ｉ）からの電波を受信することにより、図示しない無線受信端末の使用者は、だいたいどの辺りで受信できなくなるかを予め察知することが可能となる。つまり、無線情報発信端末の使用者が地点Ｂからの電波を受信した時点で、もうしばらくそのまま移動（右に移動）すると、無線送信端末１０（ＡＰ）からの電波が受信できなくなることを察知することが可能となる。
【００３７】
（実施の形態２）
以下、本発明の実施の形態２にかかる無線伝送装置について図面を用いて説明する。
【００３８】
図４は、本発明の請求項２に示す無線通信システムのブロック図である。実施の形態１に示した無線受信端末３０に加え、誤り符号演算手段１０８が新たに追加された。
【００３９】
以上のように構成された本実施の形態の無線通信システムについて、以下、従来例及び実施の形態１と異なる、無線情報発信端末２０及び１つまたは複数の無線情報発信端末から信号を受信した際の誤り符号演算手段１０８の動作について説明する。
【００４０】
まず、無線受信端末３０が受信した信号は、アンテナ１００を介して通信手段１０１により受信電界強度が測定され、受信情報記憶手段１０４に記憶されるとともに、信号処理手段１０２に受信信号が送出される。信号処理手段１０２では、受信信号と誤り検出符号を取り出し、それぞれを誤り符号演算手段１０８によって演算し、その結果を制御手段１０３に伝える。制御手段１０３は、無線送信端末１０側への再送要求を行う必要があるかどうかを判断する。誤りが多く、再送要求を行う必要があれば、制御手段１０３から信号処理手段１０２に再送要求信号を送り、誤りが少なければ、表示手段１０７を介して、端末使用者に対して表示させる。
【００４１】
このように、誤り符号演算を行った場合は、どの程度の受信電界強度において誤りが多く発生するのかという基準を設定することが可能となる。つまり、一定の電界強度値より低くなれば誤りは高くなるということがわかるので、そのためには、誤り符号演算手段１０８による演算結果を受信情報記憶手段１０４へ送り、通信手段１０１より得た受信電界強度とともに受信情報記憶手段１０４に記憶させる必要がある。記憶した情報において、誤り符号演算手段１０８からの誤り率が高い場合は、受信電界強度の値を受信情報記憶手段１０４から基準情報記憶手段１０６へ受信電界強度の値を送り、閾値の設定時に結果を反映せさることができる。あとは、実施の形態１と同様の振る舞いを行う。
【００４２】
（実施の形態３）
以下、本発明の実施の形態３にかかる無線伝送装置について図面を用いて説明する。
【００４３】
図５は、本発明の請求項３に示す無線通信システムのブロック図である。実施の形態１に示した無線受信端末３０に加え、操作手段１０９が新たに追加された。
【００４４】
以上のように構成された本実施の形態の無線通信システムについて、以下、従来例及び実施の形態１と異なる動作について説明する。
【００４５】
まず、無線受信端末３０は端末使用者によって各種操作が行えるように操作手段１０９を設け、その操作内容を制御手段１０３に送るとともに、正常に通信を行うための受信電界強度の強さの目安（閾値）を端末使用者が操作手段１０９を介して基準情報記憶手段１０６に設定することができるようにする。これは、事前に設定している閾値を用いて正常に通信を行うための環境として適しているか否かを比較判断した結果と、実際に端末使用者が受信した映像及び音響信号を再生したものを見てあるいは聞いて判断したものとでは異なる場合があるので、その場合は適宜、端末使用者が操作手段１０９により電界強度の強さの目安（閾値）を設定することができる。
【００４６】
（実施の形態４）
以下、本発明の実施の形態４にかかる無線伝送装置について図面を用いて説明する。
【００４７】
図６は、本発明の請求項４及び請求項５に示す無線通信システムのブロック図である。実施の形態３に示した無線受信端末３０に加え、音量調整手段１１０が新たに追加された。
【００４８】
以上のように構成された本実施の形態の無線通信システムについて、以下、従来例及び実施の形態３と異なる動作について説明する。
【００４９】
まず、無線受信端末３０の制御手段１０３において、正常に通信を行うための環境として適していない状況になりつつあると判断した場合には、事前に端末使用者に警告を行い、通信が途切れることを未然に防ぐ必要がある。そのため、制御手段１０３は、音量調整手段１１０を介して音を鳴らすことにより、端末使用者への警告信号を発信することができる。その際に、閾値と受信電界強度との比較において、値の差が大きくなればなるほど音量調整手段１１０から鳴らされる音量が大きくなっていくことを特徴とする。これは、電界強度が徐々に弱くなりつつあり、これ以上状況が悪くなると正常に伝送が行えない旨を端末使用者に明確に知らせるためには有効である。
【００５０】
（実施の形態５）
以下、本発明の実施の形態５にかかる無線伝送装置について図面を用いて説明する。
【００５１】
図７は、本発明の請求項６に示す無線通信システムのブロック図である。実施の形態３に示した無線受信端末３０に加え、画面調整手段１１１が新たに追加された。
【００５２】
以上のように構成された本実施の形態の無線通信システムについて、以下、従来例及び実施の形態３と異なる動作について説明する。
【００５３】
まず、無線受信端末３０の制御手段１０３において、正常に通信を行うための環境として適していない状況になりつつあると判断した場合には、事前に端末使用者に警告を行い、通信が途切れることを未然に防ぐ必要がある。そのため、制御手段１０３は、画像調整手段１１１を介して無線受信端末３０の表示画面を変化させることにより、端末使用者への警告信号を発信することができる。その際に、閾値と受信電界強度との比較において、値の差が大きくなればなるほど表示画面を暗くしていくことを特徴とする。これは、電界強度が徐々に弱くなりつつあり、これ以上状況が悪くなると正常に伝送が行えない旨を端末使用者に明確に知らせるためには有効である。
【００５４】
（実施の形態６）
以下、本発明の実施の形態６にかかる無線伝送装置について図面を用いて説明する。
【００５５】
図８は、本発明の請求項７に示す無線通信システムのブロック図である。実施の形態３に示した無線受信端末３０に加え、振動手段１１２が新たに追加された。
【００５６】
以上のように構成された本実施の形態の無線通信システムについて、以下、従来例及び実施の形態３と異なる動作について説明する。
【００５７】
まず、無線受信端末３０の制御手段１０３において、正常に通信を行うための環境として適していない状況になりつつあると判断した場合には、事前に端末使用者に警告を行い、通信が途切れることを未然に防ぐ必要がある。そのため、制御手段１０３は、振動手段１１２を介して無線受信端末３０そのものを振動させることにより、端末使用者へ警告することができる。その際に、閾値と受信電界強度との比較において、値の差が大きくなればなるほど振動が大きくなることを特徴とする。これは、電界強度が徐々に弱くなりつつあり、これ以上状況が悪くなると正常に伝送が行えない旨を端末使用者に明確に知らせるためには有効である。
【００５８】
なお上記各実施の形態で述べた前記無線情報発信端末は、例えば、部屋や建物や地上におけるある地域内において、設置可能な場所に設置しても良いし、建物の建設時等に、事前に建物の各柱や床の一定間隔以上の箇所に埋め込まれていると更に良い。
【００５９】
また、図１２に示す各地点（Ａ〜Ｉ）において、無線受信端末は、各拠点においてどの程度の電界強度を受信した場合に、無線送信端末からの電波が弱くなっていくかどうかを学習させても良い。その方法として、無線送信端末からの受信したデータの誤り率から求めるか、あるいは、無線受信端末の表示手段を見ながら、主観的に端末使用者が操作手段を介して設定する方法が考えられる。このように学習させることで、建物内での状況が変わってもそれに適応することが出来る。
【００６０】
【発明の効果】
本発明にかかる無線受信端末によれば、無線受信端末は無線送信端末と１つまたは複数の他の無線情報発信端末からの電界強度を測定することができるので、無線受信端末が移動中であるか静止している状態であるかを把握することができ、移動している場合には、正常に通信を行うための電界強度の強さの目安（閾値）と受信電界強度の値を比較することにより、予め電界強度の低い場所への移動を察知し、無線受信端末の端末使用者に警告を行うことができるという効果が得られる。
【００６１】
また、信号処理手段から得られた有効な情報と誤り検出符号を用いて演算を行い受信信号が誤っているかどうかを判断する誤り符号演算手段を備えることにより、どの程度の受信電界強度において誤りが多く発生するのかという基準を自動的に設定することができるという効果が得られる。
【００６２】
また、無線受信端末使用者が無線受信端末の操作、及び受信誤りと電界強度の基準値の設定を行う操作手段を備えることにより、状況に応じて適宜、端末使用者が電界強度の強さの目安（閾値）を設定することができるという効果が得られる。
【００６３】
また、前記制御手段からの指示により、無線受信端末の音量調整を行う音量調整手段を備えることにより、正常に通信を行うための環境として適していない状況になりつつあると判断した場合には、音を鳴らすことにより、端末使用者への警告信号を発信することができるという効果が得られる。また、閾値と受信電界強度との比較において、値の差が大きくなればなるほど音量を大きくすることにより、電界強度が徐々に弱くなりつつあり、これ以上状況が悪くなると正常に伝送が行えない旨を端末使用者に明確に知らせることができるという効果が得られる。
【００６４】
また、制御手段からの指示により、無線受信端末の画面の明るさの調整を行う画面調整手段を備えることにより、閾値と受信電界強度との比較において、値の差が大きくなればなるほど表示画面が暗くなり、これ以上状況が悪くなると正常に伝送が行えない旨を端末使用者に明確に知らせることができるという効果が得られる。
【００６５】
また、制御手段からの指示により、無線受信端末を振動させる振動手段を備えることにより、閾値と受信電界強度との比較において、値の差が大きくなればなるほど振動を大きくすることができ、これ以上状況が悪くなると正常に伝送が行えない旨を端末使用者に明確に知らせることができるという効果が得られる。
【図面の簡単な説明】
【図１】本発明の実施の形態１における無線送信端末の構成を示すブロック図
【図２】本発明の実施の形態１における無線情報発信端末の構成を示すブロック図
【図３】本発明の実施の形態１における無線受信端末の構成を示すブロック図
【図４】本発明の実施の形態２における無線受信端末の構成を示すブロック図
【図５】本発明の実施の形態３における無線受信端末の構成を示すブロック図
【図６】本発明の実施の形態４における無線受信端末の構成を示すブロック図
【図７】本発明の実施の形態５における無線受信端末の構成を示すブロック図
【図８】本発明の実施の形態６における無線受信端末の構成を示すブロック図
【図９】従来の無線通信システムの構成を示すブロック図
【図１０】無線回線上に送出される信号のタイミングを示すブロック図
【図１１】ある部屋における電波受信可能領域と受信不能領域を示す図
【図１２】ある部屋における電波受信可能領域と各地点の電波の分布を示す図
【符号の説明】
１０　無線送信端末
２０　無線情報発信端末
３０　無線受信端末
４０　従来の無線送信端末
５０　従来の無線受信端末
１００　アンテナ
１０１　通信手段
１０２　信号処理手段
１０３　制御手段
１０４　受信情報記憶手段
１０５　記憶情報比較手段
１０６　基準情報記憶手段
１０７　表示手段
１０８　誤り符号演算手段
１０９　操作手段
１１０　音量調整手段
１１１　画面調整手段
１１２　振動手段
【図１】
2004104474.tif 000003
【図２】
2004104474.tif 000004
【図３】
2004104474.tif 000005
【図４】
2004104474.tif 000006
【図５】
2004104474.tif 000007
【図６】
2004104474.tif 000008
【図７】
2004104474.tif 000009
【図８】
2004104474.tif 000010
【図９】
2004104474.tif 000011
【図１０】
2004104474.tif 000012
【図１１】
2004104474.tif 000013
【図１２】
2004104474.tif 000014